(57)【要約】【課題】情報処理装置同士の間で操作環境を共有するものにおいて、セキュリティを適切に確保すると共に、操作環境の統一を図る。【解決手段】車載器３は、金融機関の管理センター１０における認証結果が正であることを条件として、ＩＣカード９に記録されているＡＴＭ１４の操作環境データを読出して当該操作環境データに対応する操作環境を提供する。管理センター１０における認証結果が正である場合にのみ、金融機関が管理するＡＴＭ１４の操作環境を提供することができ、セキュリティを適切に確保することができると共に、操作環境の統一を図ることができる。【選択図】  図１
2004185528.tif 000002
【特許請求の範囲】
【請求項１】
操作環境を表す操作環境データを記録可能な記録媒体と、
記録媒体に記録されている操作環境データに対応する操作環境を提供可能な情報処理装置とを備えてなる情報処理システムであって、
記録媒体は、他の情報処理装置の操作環境データを記録可能に構成され、
情報処理装置は、他の情報処理装置を管理する管理機関における認証結果が正であることを条件として、記録媒体に記録されている他の情報処理装置の操作環境データに対応する操作環境を提供可能に構成されていることを特徴とする情報処理システム。
【請求項２】
請求項１に記載した情報処理システムにおいて、
情報処理装置は、管理機関から他の情報処理装置の操作環境データを受信し、ユーザにより当該受信された他の情報処理装置の操作環境データを編集するための操作が行われたときには、当該受信された他の情報処理装置の操作環境データを編集して記録媒体に記録可能に構成されていることを特徴とする情報処理システム。
【請求項３】
請求項１に記載した情報処理システムにおいて、
記録媒体は、他の情報処理装置から転送された当該他の情報処理装置の操作環境データを記録可能に構成され、
情報処理装置は、記録媒体に記録されている他の情報処理装置の操作環境データを読出し、ユーザにより当該読出された他の情報処理装置の操作環境データを編集するための操作が行われたときには、当該読出された他の情報処理装置の操作環境データを編集して記録媒体に再度記録可能に構成されていることを特徴とする情報処理システム。
【請求項４】
請求項２または３に記載した情報処理システムにおいて、
情報処理装置は、操作環境データを編集する処理として、ユーザが操作するための操作キーやユーザが入力した情報を表示するための表示フィールドなどの部品の表示位置を変更することを特徴とする情報処理システム。
【請求項５】
請求項２ないし４のいずれかに記載した情報処理システムにおいて、
情報処理装置は、操作環境データを編集する処理として、ユーザに固有の部品を追加することを特徴とする情報処理システム。
【請求項６】
請求項２ないし５のいずれかに記載した情報処理システムにおいて、
情報処理装置は、操作環境データを編集する処理として、部品の可視化または不可視化を設定することを特徴とする情報処理システム。
【請求項７】
請求項１ないし６のいずれかに記載した情報処理システムにおいて、
情報処理装置は、車両に搭載可能な車載器から構成され、
他の情報処理装置は、金融機関に管理されている現金自動預入払出機から構成され、
記録媒体は、ＩＣカードから構成されていることを特徴とする情報処理システム。
【請求項８】
請求項１ないし６のいずれかに記載した情報処理システムにおいて、
情報処理装置および記録媒体は、携帯情報端末や携帯電話機などの携帯端末から構成され、
他の情報処理装置は、金融機関に管理されている現金自動預入払出機から構成されていることを特徴とする情報処理システム。
【発明の詳細な説明】
【０００１】
【発明の属する技術分野】
本発明は、操作環境を表す操作環境データを記録可能な記録媒体と、記録媒体に記録されている操作環境データに対応する操作環境を提供可能な情報処理装置とを備えてなる情報処理システムに関する。
【０００２】
【従来の技術】
従来より、例えばパーソナルコンピュータ端末のような他の情報処理装置の操作環境データを記録媒体に記録し、情報処理装置に当該他の情報処理装置の操作環境データが記録されている記録媒体を装着することにより、情報処理装置において、他の情報処理装置と同じ操作環境を提供する構成がある（例えば特許文献１参照）。
【０００３】
【特許文献１】
特開平８−１９４６０５号公報
【０００４】
【発明が解決しようにする課題】
ところが、このように情報処理装置と他の情報処理装置との間で操作環境を共有するものでは、情報処理装置と他の情報処理装置との間でデータを自由に授受することが可能になるので、セキュリティを適切に確保することができないという問題がある。
【０００５】
本発明は、上記した事情に鑑みてなされたものであり、その目的は、情報処理装置同士で操作環境を共有するものにおいて、セキュリティを適切に確保することができると共に、操作環境の統一を図ることができる情報処理システムを提供することにある。
【０００６】
【課題を解決するための手段】
請求項１に記載した情報処理システムによれば、記録媒体は、他の情報処理装置の操作環境データを記録し、情報処理装置は、他の情報処理装置を管理する管理機関における認証結果が正であることを条件として、記録媒体に記録されている他の情報処理装置の操作環境データに対応する操作環境を提供する。これにより、管理機関における認証結果が正である場合にのみ、情報処理装置において、他の情報処理装置の操作環境を提供するので、セキュリティを適切に確保することができると共に、操作環境の統一を図ることができる。
【０００７】
請求項２に記載した情報処理システムによれば、情報処理装置は、管理機関から他の情報処理装置の操作環境データを受信し、ユーザにより当該受信された他の情報処理装置の操作環境データを編集するための操作が行われると、当該受信された他の情報処理装置の操作環境データを編集して記録媒体に記録する。これにより、ユーザは、管理機関から受信された他の情報処理装置の操作環境データを編集するための操作を行うことにより、他の情報処理装置の操作環境データを自身の好みに応じて編集して記録媒体に記録させることができ、これ以後、自身の好みに応じた操作環境の下で、情報処理装置を他の情報処理装置として機能させることができる。
【０００８】
請求項３に記載した情報処理システムによれば、記録媒体は、他の情報処理装置から転送された当該他の情報処理装置の操作環境データを記録し、情報処理装置は、記録媒体に記録されている他の情報処理装置の操作環境データを読出し、ユーザにより当該読出された他の情報処理装置の操作環境データを編集するための操作が行われると、当該読出された他の情報処理装置の操作環境データを編集して記録媒体に再度記録する。これにより、ユーザは、記録媒体から読出された他の情報処理装置の操作環境データを編集するための操作を行うことにより、他の情報処理装置の操作環境データを自身の好みに応じて編集して記録媒体に再度記録させることができ、この場合も、これ以後、自身の好みに応じた操作環境の下で、情報処理装置を他の情報処理装置として機能させることができる。
【０００９】
請求項４に記載した情報処理システムによれば、情報処理装置は、操作環境データを編集する処理として、ユーザが操作するための操作キーやユーザが入力した情報を表示するための表示フィールドなどの部品の表示位置を変更する。これにより、ユーザは、部品の表示位置を自身の好みに応じて変更することができ、自身により適した操作環境を実現することができる。
【００１０】
請求項５に記載した情報処理システムによれば、情報処理装置は、操作環境データを編集する処理として、ユーザに固有の部品を追加する。これにより、ユーザは、部品を自身の好みに応じて追加することができ、自身により適した操作環境を実現することができる。
【００１１】
請求項６に記載した情報処理システムによれば、情報処理装置は、操作環境データを編集する処理として、部品の可視化または不可視化を設定する。これにより、ユーザは、例えば他人に知られても支障がない部品に対しては可視化を設定すると共に、他人に知られては支障がある部品に対しては不可視化を設定することにより、秘匿性を高めることができる。
【００１２】
請求項７に記載した情報処理システムによれば、情報処理装置は、車両に搭載可能な車載器から構成され、他の情報処理装置は、金融機関に管理されている現金自動預入払出機から構成され、記録媒体は、ＩＣカードから構成されている。これにより、ユーザは、現金自動預入払出機の操作環境データをＩＣカードに記録させ、現金自動預入払出機の操作環境データが記録されたＩＣカードを車載器に装着して車載器を操作することにより、車載器を現金自動預入払出機として機能させることができ、金融機関に出向かなくとも、例えば残高照会や振替などを行うことができ、利便性を高めることができる。
【００１３】
請求項８に記載した情報処理システムによれば、情報処理装置および記録媒体は、携帯情報端末や携帯電話機などの携帯端末から構成され、他の情報処理装置は、金融機関に管理されている現金自動預入払出機から構成されている。これにより、ユーザは、現金自動預入払出機の操作環境データを携帯端末に記録させ、現金自動預入払出機の操作環境データが記録された携帯端末を操作することにより、この場合も、車載器を現金自動預入払出機として機能させることができ、金融機関に出向かなくとも、例えば残高照会や振替などを行うことができ、利便性を高めることができる。
【００１４】
【発明の実施の形態】
（第１実施例）
以下、本発明を、車両に搭載されている車載器を操作することにより残高照会や振替などを可能にする情報処理システムに適用した第１実施例について、図１ないし図７を参照して説明する。まず、図１は、情報処理システムの全体構成を概略的に示している。情報処理システム１において、車両（自動車）２には、車載器３（本発明でいう情報処理装置）が搭載されている。
【００１５】
車載器３は、図２に示すように、制御装置４と、無線通信機５と、表示器６と、入力器７と、リーダライタ８とを備えて構成されている。制御装置４は、ＣＰＵやメモリを備えて構成されており、制御プログラムを実行することにより、車載器３の動作全般を制御する。無線通信機５は、制御装置４から無線動作指示が入力されると、所定の無線通信プロトコルに準じて無線通信を行う。表示器６は、例えば液晶ディスプレイから構成されており、制御装置４から表示指示が入力されると、詳しくは後述する操作画面などを表示する。
【００１６】
入力器７は、ユーザが操作するためのボタンスイッチなどから構成されており、ボタンスイッチなどが操作されると、操作を表す操作検知を制御装置４に出力する。リーダライタ８は、ＩＣカード９（本発明でいう記録媒体）を装着するためのカードスロット８ａを備えて構成されており、ＩＣカード９がカードスロット８ａに装着されると、ＩＣカード９に記録されているデータを読出して制御装置４に出力したり、制御装置４から入力されたデータをＩＣカード９に書込んだりしたりする。
【００１７】
金融機関において、管理センター１０（本発明でいう管理機関）は、各支店（ここでは、例えばＡ支店〜Ｃ支店）毎に設置されている支店コンピュータ１１〜１３と例えば専用回線で接続されている。支店コンピュータ１１〜１３は、ＡＴＭ（現金自動預入払出機）１４〜２２（本発明でいう他の情報処理装置）に接続されており、ＡＴＭ１４〜２２が行う現金預入払出を管理する。この場合、管理センター１０は、支店コンピュータ１１〜１３との間でデータ通信を行うと共に、管理データベース２３との間でデータ通信を行うことにより、電算処理を行い、例えば口座毎の現金預入払出を管理するなどの各種の決済処理を行う。
【００１８】
ここで、ＡＴＭ１４〜２２について、ＡＴＭ１４を代表して説明する。ＡＴＭ１４は、ＩＣカード９を装着するためのカードスロット１４ａと、通帳を装着するための通帳スロット１４ｂとを備えており、少なくともＩＣカード９がカードスロット１４ａに装着されたことを条件として、例えば残高照会、預入、払出、振込、振替などの決済処理を行う。この場合、ユーザは、ＡＴＭ１４が提供する操作環境にしたがって操作することになり、つまり、ＡＴＭ１４の表示装置１４ｃに表示される案内にしたがって対話形式により暗証番号を入力したり、払出金額や振替金額などを入力したりして、所望の決済処理を行うことになる。
【００１９】
ＩＣカード９は、簡易なＣＰＵやメモリを備えて構成されており、上記したように、金融機関のＡＴＭ１４〜２２に装着可能であると共に、車載器３のカードスロット８ａにも装着可能である。また、管理センター１０と車載器３の無線通信機５とは、通信網２４を通じて通信可能に構成されている。この場合、通信網２４は、固定通信網や移動通信網が混在する通信網である。
【００２０】
次に、上記した構成の作用について、図３ないし図７を参照して説明する。ここでは、
（１）車載器３が管理センター１０からＡＴＭ１４の操作環境データを受信して編集し、ＩＣカード９が車載器３にて編集された操作環境データを記録する処理
（２）ＩＣカード９がＡＴＭ１４から転送された当該ＡＴＭ１４の操作環境データを記録し、車載器３がＩＣカード９からＡＴＭ１４の操作環境データを読出して編集し、ＩＣカード９が車載器３にて編集された操作環境データを再度記録する処理
（３）車載器３がＩＣカード９から当該車載器３にて編集された操作環境データを読出して当該操作環境データに対応する操作環境を提供する処理の各々について順次説明する。
【００２１】
（１）車載器３が管理センター１０からＡＴＭ１４の操作環境データを受信して編集し、ＩＣカード９が車載器３にて編集された操作環境データを記録する処理
まず、「車載器３が管理センター１０からＡＴＭ１４の操作環境データを受信して編集し、ＩＣカード９が車載器３にて編集された操作環境データを記録する処理」について、図３を参照して説明する。この場合、ユーザは、車載器３を操作し、ＩＣカード９を車載器３に装着する手順を行う。
【００２２】
車載器３は、ユーザにより例えば所定のコマンドが入力器７にて入力されると、無線通信機５から操作環境データ要求信号を通信網２４を通じて管理センター１０に送信する（ステップＳ１）。管理センター１０は、車載器３から送信された操作環境データ要求信号が受信されると、ＡＴＭ１４の操作環境を表す操作環境データを読出し（ステップＳ２）、読出された操作環境データを操作環境データ信号に格納して通信網２４を通じて車載器３に送信する（ステップＳ３）。
【００２３】
車載器３は、管理センター１０から送信された操作環境データ信号が受信されると、認証を行う（ステップＳ４）。この場合の認証は、例えば車載器３を操作するユーザが予め金融機関に対してユーザ登録されているか否かなどの認証である。そして、車載器３は、認証結果が正であると、次に示すようにして、管理センター１０から受信された操作環境データを編集する。
【００２４】
すなわち、車載器３は、ユーザにより所定の編集操作が入力器７にて行われたことに応じて、ユーザが操作するための操作キーやユーザが入力した情報を表示するための表示フィールドなどの部品の表示位置を変更し（ステップＳ５）、ユーザに固有の部品を追加し（ステップＳ６）、部品の可視化または不可視化を設定する（ステップＳ７）。
【００２５】
具体的には、図６を参照して説明すると、車載器３は、元々の操作環境データに対応する操作画面、つまり、この場合であれば、ＡＴＭ１４の表示装置１４ｃに表示される操作画面が図６中（ａ）に示すように、例えば「暗証番号を入力して下さい」という案内が横一列で表示されると共に、ユーザが操作するための「１」〜「０」までの数字キーが横一列のライン状で表示されるような操作画面である場合に、ユーザが自身の好みに沿うように所定の編集操作を行うと、図６中（ｂ）に示すように、例えば「暗証番号を入力して下さい」という案内が横二列で表示されると共に、ユーザが操作するための「１」〜「０」までの数字キーが縦三行横四列のマトリックス状で表示されるように操作画面を編集する。
【００２６】
これ以外にも、車載器３は、図６中（ｃ）に示すように、例えばユーザが操作するための「１」〜「０」までの数字キーが不規則な配列で表示されるように操作画面を編集することも可能である。また、車載器３は、図６中（ｄ）に示すように、例えばユーザが操作するための「１」〜「０」までの数字キーの外形のみが表示される（数字自体は表示されない（不可視化を設定する））ように操作画面を編集することも可能である。また、車載器３は、図６中（ｅ）に示すように、例えばユーザが操作するための「１」〜「０」までの数字キーがサイズを大きくして表示されるように操作画面を編集することも可能である。
【００２７】
さらに、車載器３は、元々の操作環境データに対応する操作画面に、ユーザが入力した暗証番号の桁を表示する表示フィールドが存在しない場合には、ユーザが入力した暗証番号の桁を表示する表示フィールドが表示されるように操作画面を編集することも可能であり、また、元々の操作環境データに対応する操作画面に、例えば「只今の時刻は１２：４５」というような現在時刻を表示する箇所が存在する場合には、その表示が削除されるように操作画面を編集することも可能である。
【００２８】
尚、ここでは、暗証番号を入力するときの操作画面を例にして説明したが、車載器３は、この他の画面として、例えば振替金額を入力するときの操作画面なども、これと同様にして、ユーザが自身の好みに沿うように所定の編集操作を行うことにより、その所定の編集操作に応じて操作画面を編集することが可能である。
【００２９】
そして、車載器３は、このようにして編集された操作環境データに対応する操作画面を表示器６に表示する（ステップＳ８）。さて、ユーザは、このようにして編集された操作画面が表示されると、表示されている操作画面を、これ以後の残高照会や振替を行うときの操作画面として決定するか否かを選択する。そして、ユーザは、操作画面を決定した後に、ＩＣカード９を車載器３のカードスロット８ａに装着する。
【００３０】
車載器３は、操作画面が決定されると（ステップＳ９）、ＩＣカード９が車載器３のカードスロット８ａに装着されていることを条件として（ステップＳ１０、Ｓ１１）、このようにして編集された操作環境データをＩＣカード９に転送する（ステップＳ１２）。そして、ＩＣカード９は、車載器３から操作環境データが転送されると、転送された操作環境データを記録する（ステップＳ１３）。
【００３１】
以上に説明した処理により、ユーザは、管理センター１０からＡＴＭ１４の操作環境データを車載器３に受信させ、受信されたＡＴＭ１４の操作環境データを車載器３にて自身の好みに応じて編集し、ＩＣカード９を車載器３に装着し、自身の好みに応じて編集されたＡＴＭ１４の操作環境データを車載器３からＩＣカード９に転送させることにより、自身の好みに応じた操作環境データをＩＣカード９に記録させることができる。
【００３２】
（２）ＩＣカード９がＡＴＭ１４から転送された当該ＡＴＭ１４の操作環境データを記録し、車載器３がＩＣカード９からＡＴＭ１４の操作環境データを読出して編集し、ＩＣカード９が車載器３にて編集された操作環境データを再度記録する処理
次に、「ＩＣカード９がＡＴＭ１４から転送された当該ＡＴＭ１４の操作環境データを記録し、車載器３がＩＣカード９からＡＴＭ１４の操作環境データを読出して編集し、ＩＣカード９が車載器３にて編集された操作環境データを再度記録する処理」について、図４を参照して説明する。この場合、ユーザは、最初に、ＩＣカード９をＡＴＭ１４に装着し、次いで、ＩＣカード９を車載器３に装着し、車載器３を操作する手順を行う。
【００３３】
まず、ユーザは、ＩＣカード９をＡＴＭ１４に装着する。ＡＴＭ１４は、ＩＣカード９が装着されたことを検出すると（ステップＳ２１、Ｓ２２）、自身の操作環境を表す操作環境データを読出し（ステップＳ２３）、読出された操作環境データをＩＣカード９に転送する（ステップＳ２４）。そして、ＩＣカード９は、ＡＴＭ１４から操作環境データが転送されると、転送された操作環境データを記録する（ステップＳ２５）。
【００３４】
次いで、ユーザは、ＩＣカード９を車載器３のカードスロット８ａに装着する。ＩＣカード９は、車載器３に装着されたことを検出すると（ステップＳ２６、Ｓ２７）、記録されている操作環境データ、つまり、これよりも先にＡＴＭ１４から転送された操作環境データを車載器３に転送する（ステップＳ２８）。
【００３５】
車載器３は、ＩＣカード９から操作環境データが転送されると、上記した「（１）車載器３が管理センター１０からＡＴＭ１４の操作環境データを受信して編集し、ＩＣカード９が車載器３にて編集された操作環境データを記録する処理」にて説明したステップＳ５〜Ｓ８の処理と同様にして、ユーザにより所定の編集操作を入力器７にて行われたことに応じて、ユーザが操作するための操作キーやユーザが入力した情報を表示するための表示フィールドなどの部品の表示位置を変更し（ステップＳ２９）、ユーザに固有の部品を追加し（ステップＳ３０）、部品の可視化または不可視化を設定する（ステップＳ３１）。
【００３６】
そして、車載器３は、このようにして編集された操作環境データに対応する操作画面を表示器６に表示する（ステップＳ３２）。さて、ここでも、ユーザは、表示されている操作画面を、これ以後の残高照会や振替を行うときの操作画面として決定するか否かを選択する。
【００３７】
車載器３は、操作画面が決定されると（ステップＳ３３）、このようにして編集された操作環境データをＩＣカード９に転送する（ステップＳ３４）。そして、ＩＣカード９は、車載器３から操作環境データが転送されると、転送された操作環境データを記録する（ステップＳ３５）。
【００３８】
以上に説明した処理により、ユーザは、ＩＣカード９をＡＴＭ１４に装着し、ＡＴＭ１４の操作環境データをＡＴＭ１４からＩＣカード９に転送させて記録させ、ＡＴＭ１４の操作環境データが記録されたＩＣカード９を車載器３に装着し、ＩＣカード９からＡＴＭ１４の操作環境データを車載器３に読出させ、読出されたＡＴＭ１４の操作環境データを車載器３にて自身の好みに応じて編集し、自身の好みに応じて編集されたＡＴＭ１４の操作環境データを車載器３からＩＣカード９に転送させることにより、この場合も、自身の好みに応じた操作環境データをＩＣカード９に記録させることができる。
【００３９】
（３）車載器３がＩＣカード９から当該車載器３にて編集された操作環境データを読出して当該操作環境データに対応する操作環境を提供する処理
次に、「車載器３がＩＣカード９から当該車載器３にて編集された操作環境データを読出して当該操作環境データに対応する操作環境を提供する処理」について、図５を参照して説明する。この場合、ユーザは、ＩＣカード９を車載器３に装着し、車載器３を操作する手順を行う。
【００４０】
ユーザは、ＩＣカード９を車載器３のカードスロット８ａに装着する。車載器３は、ＩＣカード９が装着されたことを検出すると（ステップＳ４１、Ｓ４２）、転送指示をＩＣカード９に転送する（ステップＳ４３）。ＩＣカード９は、車載器３から転送指示が転送されると、記録されている操作環境データを車載器３に転送する（ステップＳ４４）。
【００４１】
車載器３は、ＩＣカード９から操作環境データが転送されると、認証要求信号を通信網２４を通じて管理センター１０に送信する（ステップＳ４５）。管理センター１０は、車載器３から送信された認証要求信号が受信されると、認証を行い（ステップＳ４６）、認証結果が正であると、認証確認信号を通信網２４を通じて車載器３に送信する（ステップＳ４７）。この場合の認証も、例えば車載器３を操作するユーザが予め金融機関に対してユーザ登録されているか否かなどの認証である。
【００４２】
そして、車載器３は、管理センター１０から認証確認信号が受信されると、これよりも先にＩＣカード９から転送された操作環境データに対応する操作画面を表示器６に表示させ（ステップＳ４８）、操作環境データに対応する操作環境を提供する。
【００４３】
以上に説明した処理により、ユーザは、ＩＣカード９を車載器３に装着することにより、管理センター１０における認証結果が正であることを条件として、自身の好みに応じて編集させておいた操作画面を車載器３に表示することができ、これ以後、表示された操作画面の案内にしたがって対話形式により所望の決済処理をオンラインで行うことができる。尚、この場合、ユーザが行える決済処理は、紙幣や硬貨の授受を実質的に行うことができないので、紙幣や硬貨の授受を伴わない処理に限られることになり、つまり、この場合であれば、残高照会や振替に限られることになる。
【００４４】
ところで、車載器３は、操作画面を自動的に適切な状態に調整する自動調整機能を備えており、自動調整機能を働かせて操作画面を表示器６に表示する。具体的には、図７を参照して説明すると、図７（ａ）に示すように、表示器６の表示領域が横方向に長い場合には、操作画面データを編集する際に、例えばユーザが操作するための「１」〜「０」までの数字キーの外形が横方向に長い表示領域に対して違和感のないように、それら数字キーの各々の外形が「縦横比＜１（ａ１／ａ２＜１）」になるように、つまり、それら数字キーの各々の外形も横長になるように自動的に調整する。
【００４５】
これに対して、車載器３は、図７（ｂ）に示すように、表示器６の表示領域が縦方向に長い場合には、操作画面データを編集する際に、数字キーの外形が縦方向に長い表示領域に対して違和感のないように、それら数字キーの各々の外形が「縦横比＞１（ｂ１／ｂ２＞１）」になるように、つまり、それら数字キーの各々の外形も縦長になるように自動的に調整する。これにより、車載器３は、表示器６の表示領域の形状に拘らず、適切な操作画面の表示を提供することができる。
【００４６】
以上に説明したように第１実施例によれば、車載器３は、金融機関の管理センター１０における認証結果が正であることを条件として、ＩＣカード９に記録されている操作環境データ、つまり、ＡＴＭ１４の操作環境データがユーザの好みに応じて編集された操作環境データを読出して当該操作環境データに対応する操作環境を提供するように構成したので、管理センター１０における認証結果が正である場合にのみ、金融機関が管理するＡＴＭ１４の操作環境を提供することができ、セキュリティを適切に確保することができると共に、操作環境の統一を図ることができる。そして、この場合は、車載器３をＡＴＭ１４として機能させることができ、金融機関に出向かなくとも、例えば残高照会や振替などを行うことができ、利便性を高めることができる。
【００４７】
また、車載器３は、管理センター１０からＡＴＭ１４の操作環境データを受信し、受信された操作環境データを、ユーザによる編集操作に応じて編集してＩＣカード９に記録するように構成したので、ユーザは、管理機関センター１０から受信されたＡＴＭ１４の操作環境データを編集することにより、自身の好みに応じた操作環境データをＩＣカード９に記録させることができ、これ以後、自身の好みに応じた操作環境の下で、車載器３をＡＴＭ１４として機能させることができる。
【００４８】
また、ＩＣカード９は、ＡＴＭ１４から当該ＡＴＭ１４の操作環境データを読出して記録し、車載器３は、ＩＣカード９に記録されているＡＴＭ１４の操作環境データを読出し、読出された操作環境データを、ユーザによる編集操作に応じて編集してＩＣカード９に再度記録するように構成したので、ユーザは、ＩＣカード９から読出されたＡＴＭ１４の操作環境データを編集することにより、この場合も、自身の好みに応じた操作環境データをＩＣカード９に記録させることができ、これ以後、自身の好みに応じた操作環境の下で、車載器３をＡＴＭ１４として機能させることができる。
【００４９】
（第２実施例）
次に、本発明の第２実施例について、図８および図９を参照して説明する。尚、上記した第１実施例と同一部分については説明を省略し、異なる部分について説明する。上記した第１実施例は、車載器３が表示器６と入力器７とを備えている構成であるが、これに対して、第２実施例は、車載器とは別体の携帯情報端末が表示器と入力器とを備えている構成である。
【００５０】
すなわち、図９において、車載器３１は、車載器３１の動作全般を制御する制御装置３２と、無線通信を行う無線通信機３３と、ＩＣカード９を装着するためのカードスロット３４ａを有するリーダライタ３４と、携帯情報端末３５との間で例えばＢｌｕｅｔｏｏｔｈ通信や無線ＬＡＮ通信などの近距離無線通信を行う近距離無線通信機３６とを備えて構成されている。携帯情報端末３５は、携帯情報端末３５の動作全般を制御する制御装置３７と、表示情報を表示する表示器３８と、ユーザが操作するためのボタンスイッチなどからなる入力器３９と、車載器３１との間で近距離無線通信を行う近距離無線通信機４０とを備えて構成されている。
【００５１】
この構成では、車載器３１の近距離無線通信機３６と携帯情報端末３５の近距離無線通信器４０とが近距離無線通信を行うことにより、ユーザは、上記した第１実施例に記載したものと同様にして、管理センター１０からＡＴＭ１４の操作環境データを車載器３１に受信させ、受信された操作環境データを自身の好みに応じて編集することにより、自身の好みに応じた操作環境データをＩＣカード９に記録させることができる。
【００５２】
また、ユーザは、ＡＴＭ１４の操作環境データをＡＴＭ１４からＩＣカード９に転送させて記録させ、ＩＣカード９からＡＴＭ１４の操作環境データを車載器３に読出させ、読出された操作環境データを自身の好みに応じて編集することにより、自身の好みに応じた操作環境データをＩＣカード９に記録させることができる。さらに、ユーザは、自身の好みに応じて編集させておいた操作画面を車載器３に表示することができ、表示された操作画面の案内にしたがって対話形式により所望の決済処理をオンラインで行うことができる。
【００５３】
以上に説明したように第２実施例によれば、車載器３１は、金融機関の管理センター１０における認証結果が正であることを条件として、ＩＣカード９に記録されている操作環境データ、つまり、ＡＴＭ１４の操作環境データがユーザの好みに応じて編集された操作環境データを読出して当該操作環境データに対応する操作環境を提供するように構成したので、この場合も、上記した第１実施例に記載したものと同様にして、管理センター１０における認証結果が正である場合にのみ、金融機関が管理するＡＴＭ１４の操作環境を提供することができ、セキュリティを適切に確保することができると共に、操作環境の統一を図ることができる。しかも、この場合は、ユーザが車室内に設置される車載器３１を操作するのではなく、ユーザが携帯可能な携帯情報端末３５を操作すれば良いので、操作性を高めることができる。
【００５４】
（第３実施例）
次に、本発明の第３実施例について、図１０を参照して説明する。尚、上記した第１実施例や第２実施例と同一部分については説明を省略し、異なる部分について説明する。上記した第１実施例や第２実施例は、ＩＣカード９を記録媒体とて用いると共に、ＩＣカード９を車載器３に装着することにより、車載器３をＡＴＭ１４として機能させる構成であるが、これに対して、第３実施例は、携帯情報端末に記録媒体の機能をも持たせることにより、携帯情報端末をＡＴＭ１４として機能させる構成である。
【００５５】
すなわち、図１０において、携帯情報端末４１（本発明でいう情報処理装置、記録媒体）は、例えばＢｌｕｅｔｏｏｔｈ通信や無線ＬＡＮ通信などの近近距離無線通信機能を備えていると共に、ＡＴＭ４２（本発明でいう他の情報処理装置）も、近近距離無線通信機能を備えている。
【００５６】
この構成では、ユーザは、管理センター１０からＡＴＭ４２の操作環境データを携帯情報端末４１に受信させ、受信された操作環境データを自身の好みに応じて編集することにより、自身の好みに応じた操作環境データを携帯情報端末４１に記録させることができる。
【００５７】
また、ユーザは、ＡＴＭ４２の操作環境データをＡＴＭ４２から携帯情報端末４１に近距離無線通信により転送させ、転送された操作環境データを自身の好みに応じて編集することにより、自身の好みに応じた操作環境データを携帯情報端末４１に記録させることができる。さらに、ユーザは、自身の好みに応じて編集させておいた操作画面を携帯情報端末４１に表示することができ、表示された操作画面の案内にしたがって対話形式により所望の決済処理をオンラインで行うことができる。
【００５８】
以上に説明したように第３実施例によれば、携帯情報端末４１は、金融機関の管理センター１０における認証結果が正であることを条件として、自身に記録されている操作環境データ、つまり、ＡＴＭ１４の操作環境データがユーザの好みに応じて編集された操作環境データを読出して当該操作環境データに対応する操作環境を提供するように構成したので、この場合も、上記した第１実施例や第２実施例に記載したものと同様にして、管理センター１０における認証結果が正である場合にのみ、金融機関が管理するＡＴＭ４２の操作環境を提供することができ、セキュリティを適切に確保することができると共に、操作環境の統一を図ることができる。しかも、この場合は、携帯情報端末４１に記録媒体の機能を持たせているので、上記した第１実施例や第２実施例で説明したＩＣカード９を不要とすることができる。
【００５９】
（その他の実施例）
本発明は、上記した実施例にのみ限定されるものではなく、以下のように変形または拡張することができる。
情報処理装置は、車載器や携帯情報端末に限らず、固定端末であっても良い。
車載器や携帯情報端末にて残高照会や振替などを可能にする情報処理システムに適用する構成に限らず、例えば車載器や携帯情報端末にてオンラインショッピングや株式のオンライントレードなどのアプリケーションを可能にする情報処理システムに適用する構成であっても良い。
【００６０】
第２実施例や第３実施例において、携帯情報端末に代えて、携帯電話機を用いる構成であっても良い。
ユーザが自分で作成した画面を他の情報処理装置で使用可能な情報処理システムに適用する構成であっても良く、その場合、ユーザが作成した画面を管理機関にて管理することにより、ユーザが作成した画面を他の情報処理装置に反映させる構成であっても良い。
【図面の簡単な説明】
【図１】本発明の第１実施例の全体構成を概略的に示す図
【図２】車載器の構成を示す機能ブロック図
【図３】処理の流れを示すシーケンス図
【図４】図３相当図
【図５】図３相当図
【図６】操作画面の一例を示す図
【図７】図６相当図
【図８】本発明の第２実施例の全体構成を概略的に示す図
【図９】車載器および携帯情報端末の構成を示す機能ブロック図
【図１０】本発明の第３実施例の全体構成を概略的に示す図
【符号の説明】
図面中、１は情報処理システム、３は車載器（情報処理装置）、９はＩＣカード（記録媒体）、１０は管理センター（管理機関）、１４〜２２はＡＴＭ（他の情報処理装置）、３１は車載器（情報処理装置）、４１は携帯情報端末（情報処理装置、記録媒体）、４２はＡＴＭ（他の情報処理装置）である。
【図１】
2004185528.tif 000003
【図２】
2004185528.tif 000004
【図３】
2004185528.tif 000005
【図４】
2004185528.tif 000006
【図５】
2004185528.tif 000007
【図６】
2004185528.tif 000008
【図７】
2004185528.tif 000009
【図８】
2004185528.tif 000010
【図９】
2004185528.tif 000011
【図１０】
2004185528.tif 000012